(57)【要約】【課題】鍵盤の後方部を覆う上面部を効果的に支持することができるように筐体構造が補強された電子鍵盤楽器を提供すること。【解決手段】この電子鍵盤楽器では、基台５上に設けられたフレーム３に回動可能に複数の鍵１が取り付けられ、鍵１の後方部１ａは上面部２で覆われる。上面部２は、例えば、コントロールパネルで構成され、鍵１の後方部１ａの鍵間に生じる隙間を通る１乃至複数のステー９によってフレーム３上に支持される。ステー９を支持するフレーム３の位置には脚部３ｄが形成され基台５に連結される。フレーム３の前縁３ｂ・脚部３ｄ間には、各鍵１に連動する質量体６が収納される。また、ステー９の下端部９ａをフレーム３に連結するステー締結部Ｂ２は、ステー９本体が通る隙間とは別の鍵間の隙間に位置し、フレーム脚部３ｄの底板３ｅを基台５に連結する脚部締結部Ｂ１も、鍵間の隙間に位置する。【選択図】図３
2009037168.tif 000002
【特許請求の範囲】
【請求項１】
複数の鍵が回動可能に取り付けられたフレームと、
上記フレームを支持する床部と、
鍵の後方部を覆う上面部と、
鍵と鍵との間を通るように配置され、上記上面部及びフレーム間に設けられた１乃至複数のステー部と
を具備し、
上記フレームは、上記ステー部が設けられた位置に、上記床部に連結された脚部を有する
ことを特徴とする電子鍵盤楽器。
【請求項２】
前記フレームの前縁と前記脚部の間には、各鍵に連動する個々の質量体が収納されることを特徴とする請求項１に記載の電子鍵盤楽器。
【請求項３】
前記ステー部の下端には、前記フレームに連結するステー締結部が設けられ、該ステー締結部は、前記ステー部が通る鍵と鍵の間とは別の鍵と鍵の間に位置することを特徴とする請求項１又は２に記載の電子鍵盤楽器。
【請求項４】
前記脚部の下端には、前記床部に連結する脚部締結部が設けられ、該脚部締結部は、鍵と鍵の間に位置することを特徴とする請求項１〜３の何れか１項に記載の電子鍵盤楽器。
【発明の詳細な説明】
【技術分野】
【０００１】
この発明は、上面部材を支持するための筐体補強構造を有する電子鍵盤楽器に関する。
【背景技術】
【０００２】
従来より、電子楽器の鍵盤装置において、鍵盤の後方をカバーパネルで覆うものは、例えば特許文献１により知られている。また、押鍵操作に応じて質量体を駆動し適当な押鍵感触を与えたり鍵に木質感を付与するものは、例えば特許文献２により知られている。
【特許文献１】実開平７−１４４９０号公報
【特許文献２】特開２００３−２７１１２７号公報
【０００３】
電子鍵盤楽器においては、特許文献２のように、鍵に連結される質量体駆動部を設けたり鍵に木質感を付与する方法の外に、鍵自体の長さを長くすることによっても、ピアノ系の操作感覚を向上することができる。このような鍵盤の上部後方に特許文献１のカバーパネルのような上面部材を設ける場合、鍵盤の奥行きの長さに応じて上面部材の鍵盤後方部を覆う部分も長くなるが、この部分を支持するものが無いので、外力が加えられると、鍵盤を作動したり破損する虞れがある。これを防ぐための方法には、パネル延設部に厚みを持たせたりリブを設けて強度を高めることが考えられるが、歪みが出ないように成型するのが難しく、また、十分な強度が得られない。
【発明の開示】
【発明が解決しようとする課題】
【０００４】
この発明は、このような事情に鑑み、鍵盤の後方部を覆う上面部を効果的に支持することができるように筐体構造が補強された電子鍵盤楽器を提供することを目的とする。
【課題を解決するための手段】
【０００５】
この発明の主たる特徴に従うと、複数の鍵（１）が回動可能に取り付けられたフレーム（３）と、フレーム（３）を支持する床部（５）と、鍵（１）の後方部（１ａ）を覆う上面部（２）と、鍵（１）と鍵（１）との間を通るように配置され、上面部（２）及びフレーム（３）間に設けられた１乃至複数のステー部（９）とを具備し、フレーム（３）は、ステー部（９）が設けられた位置に、床部（５）に連結された脚部（３ｄ，３Ｓ）を有する電子鍵盤楽器〔請求項１〕が提供される。なお、括弧書きは、理解の便のために付記した実施例の参照記号、用語等を表わし、以下においても同様である。
【０００６】
この発明による電子鍵盤楽器において、フレーム（３）の前縁（３ｂ）と脚部（３ｄ，３Ｓ）の間には、各鍵（１）に連動する個々の質量体（６）が収納される〔請求項２〕ように構成することができる。
【０００７】
また、この発明による電子鍵盤楽器において、ステー部（９）の下端（９ａ）には、フレーム（３）に連結するステー締結部（Ｂ２）が設けられ、ステー締結部（Ｂ２）は、ステー部（９）が通る鍵と鍵の間とは別の鍵（１）と鍵（１）の間に位置する〔請求項３〕ように構成することができる。
【０００８】
さらに、この発明による電子鍵盤楽器において、脚部（３ｄ，３Ｓ）の下端（３ｅ，３Ｓｂ）には、床部（５）に連結する脚部締結部（Ｂ１）が設けられ、脚部締結部（Ｂ１）は、鍵（１）と鍵（１）の間に位置する〔請求項４〕ように構成することができる。
【発明の効果】
【０００９】
この発明による電子鍵盤楽器（請求項１）は、基本的に、床部（５）上に設けられたフレーム（３）に回動可能に複数の鍵（１）が取り付けられ、鍵（１）の後方部（１ａ）は上面部（２）で覆われるという筐体構造を有し、上面部（２）は、例えば、コントロールパネルで構成される。この発明では、このような筐体構造を補強するために、鍵（１）と鍵（１）との隙間即ち鍵後方部（１ａ）の鍵間に生じる隙間を通るように配置された１乃至複数のステー部（９）によって、上面部（２）がフレーム（３）上に支持されると共に、ステー部（９）を支持するフレーム（３）の位置には、床部（５）に連結されたフレーム脚部（３ｄ，３Ｓ）が形成される。
【００１０】
つまり、上面部（２）及びフレーム（３）には、フレーム脚部（３ｄ，３Ｓ）の床部（５）との連結部であるフレーム接地部（３ｅ，３Ｓｂ）の上方近傍にステー部（９）を受ける部位が設けられるので、上面部（２）が不用意に押されても、ステー部（９）を介してフレーム（３）にかかる力は、フレーム脚部（３ｄ，３Ｓ）を通じて強固な床部（５）でしっかりと受けとめられので、フレーム（３）の変形やゆがみが生じることがない。従って、この発明によれば、ピアノ系の操作感覚を得るために鍵後方部の長さを長くした鍵盤においても、鍵後方部を覆う上面部をステー部及びフレーム脚部により床部上に効果的に支持し、上面部に力が加わっても作動不良とならない電子鍵盤楽器を提供することができる。
【００１１】
この発明による電子鍵盤楽器において、フレーム（３）の前縁（３ｂ）と脚部（３ｄ，３Ｓ）の間には、各鍵（１）に連動する質量体（６）が収納される（請求項２）。つまり、質量体（６）の先端部と鍵（１）の回動支点（４ａ）との中間部（中間領域）にフレーム接地部（３ｅ，３Ｓｂ）が設けられる。従って、この発明によれば、ピアノ系の操作感覚がより高められた電子鍵盤楽器を得ることができる。
【００１２】
また、この発明による電子鍵盤楽器において、ステー部（９）の下端（９ａ）をフレーム（３）に連結するステー締結部（Ｂ２）は、鍵（１）と鍵（１）の隙間即ち鍵後方部（１ａ）の鍵間に生じる隙間に相当する位置であってステー部（９）本体が通る隙間とは別の隙間に相当する位置に設置される（請求項３）。つまり、締結部（Ｂ２）を覗かせる隙間とステー（９）を貫通させる隙間を別々にする。従って、この発明によれば、ステー部を実装する際に作業がし易くなり、実装作業の効率を向上することができる。
【００１３】
さらに、この発明による電子鍵盤楽器において、脚部（３ｄ，３Ｓ）の下端（３ｅ，３Ｓｂ）を床部（５）に連結する脚部締結部（Ｂ１）も、鍵（１）と鍵（１）の隙間に相当する位置に設置される（請求項３）。例えば、フレームを実装する際は、或る鍵間の隙間を利用して脚部締結部材（Ｂ１）でステー部（９）を床部（５）に固着し、使用時には、別の鍵間の隙間を貫通するステー部（９）により上面部（２）を支持する。従って、この発明によれば、鍵間の隙間という限られた空間にも拘わらず、ステー部取付け作業の効率を向上すると共にステー部により上面部を効果的に支持することができる。
【発明を実施するための最良の形態】
【００１４】
〔鍵盤装置の基本筐体構造〕
図１は、この発明の一実施例による電子鍵盤楽器の上部外観を示す。この発明の一実施例による電子鍵盤楽器では、複数の鍵から成る鍵盤１の後方を覆うように上面部２が設けられる。この例では、上面部２は、パネル操作子や表示器などのパネル要素を載置したコントロールパネルで構成され、その後縁（図１：上端）は楽器筐体又は鍵盤装置筐体の後部壁などに固定されているが、鍵盤１の後方を覆う張出し部分は浮いた構造になっている。また、鍵盤１の各鍵は比較的長い鍵長を有しており、鍵の後方部分も長い。従って、コントロールパネル２は、これに応じて、鍵後方の上に張り出した部分の奥行きが長くなっている。なお、演奏するユーザから鍵盤１を見て、前後（奥行き）方向（図１：上下方向）の大きさを「長さ」といい、左右方向の大きさを「幅」という。
【００１５】
この電子鍵盤楽器では、複数の鍵１は、基台（床部）上に設けられたフレームに回動可能に取り付けられ、各鍵１の後端は、フレーム上板の後端に設けられた鍵回動支点で結合している。また、フレーム内には、各鍵１に連結された質量体駆動部が収納されており、鍵自体の長さ（鍵長）が長めに形成されていることと相まって、ユーザにピアノのような操作感覚をもたせることができる。
【００１６】
コントロールパネル２は、例えば合成樹脂（プラスチック）のように軽量であるが撓みやすい素材で製作されている。従って、パネルの下部が浮いたままでは、強度がないため上から力がかかると簡単に撓んでしまい、特に左右方向の中央付近ではその傾向が強いので、強度を高める必要がある。この電子鍵盤楽器では、コントロールパネル２が、鍵と鍵との隙間を通る１乃至複数のステー（ステー機構やステー部品で構成され、ステー部とも呼ぶ）によりフレーム上に支持される。
【００１７】
つまり、各鍵１の後方部は、ユーザにより操作される鍵前方部に比べて幅が狭いので、鍵後方部の間に生じる隙間を利用して、コントロールパネル２の下面とフレーム上面とをステーで垂直方向に連結し、コントロールパネル２をステーにより左右方向の任意の中間位置でフレーム上に支持する筐体構造とする。しかしながら、単にステーでコントロールパネル２を支持するだけでは、以下に説明するような問題点が生じる。
【００１８】
図２は、ステー設置上の問題点を説明するための要部の側断面図である。上述したように、鍵盤の鍵長は比較的長く、鍵盤の後方上部に設けられるコントロールパネルは装置後方から長く延設されて（張り出して）おり、鍵盤下部に設けられたフレームの後方には各鍵の回動支点が形成される。このフレームは、図２の例では、字形「コ」を９０°左回転させた断面形状を呈しており、フレームの前後縁間内に質量体駆動部が収納されている。例えば、図２（１）に示されるように、ユーザにより白鍵が押鍵されると、押鍵された白鍵は、破線で示すように、鍵回動支点を中心にして回動し、この白鍵に連結された質量体（ハンマー）も、実線位置から破線の位置に回動し、ユーザに所望の打鍵感を与える。
【００１９】
フレームの上板部には、コントロールパネルを支持するステーが設置されるが、図２（１）に示すようなフレーム位置にステーが設置されている場合は、例えば、コントロールパネルが上から強い力で押されると、フレームの後縁が床板に結合するベース部に関する大きなモーメントがコントロールパネルに発生する。すなわち、ステーの受ける力の作用線Ｌｐとベース部との間の距離（腕長）Ｒｐが大きいので、ステー・ベース部間におけるモーメントは大きく、コントロールパネル及びフレーム上板部は強度不足になって破線で示すように変形する。
【００２０】
〔補強された筐体構造〕
この発明の一実施例による電子鍵盤楽器においては、さらに、ステーを支持するフレームの位置にフレーム脚部を形成し、フレーム脚部によりフレームを基台（床部）に連結することによって、ステーによる支持能力を高めて基本筐体構造を補強し、鍵盤後方部を覆うコントロールパネルを効果的に支持することができる。図３及び図４は、この発明の第１及び第２実施形態による鍵盤装置を説明するための図である。
【００２１】
（１）第１実施形態
第１実施形態による鍵盤装置では、図３（２）左側の上面図（Ｔｏｐ  Ｖｉｅｗ）に示すように、鍵１は、表面が白鍵及び黒鍵として化粧加工された前方部と、後端に回動支点が置かれた後方部１ａとから成る。鍵１の後方部１ａは、前方部より幅が狭く、また、特許文献１，２などの鍵盤装置に比べて長く設計されており、図３（１）の要部の側断面図に示すように、全鍵にわたりコントロールパネル（上面部）２で覆われている。
【００２２】
鍵盤１の下部に設けられたフレーム３は、図３（１）のように、上板部（上面板）３ａ、前方支持部（前方支持板）３ｂ、前方ベース部３ｃ及び脚部３ｄから成る合成樹脂又は金属製の筐体であり、上板部３ａは、脚部３ｄにより前上板部３ａ１と後上板部３ａ２に分けられている。各鍵後方部１ａの後端は、フレーム３の後上板部３ａ２上に設けられた鍵支持部４の鍵回動支点４ａによって回動可能に支持され、フレーム３は、前方ベース部３ｃ及び脚部３ｄにより、基台（床部、ベース板ともいう）５上に固定される。
【００２３】
前上板部３ａ１の下方即ち前方支持部３ｂ・脚部３ｄ間のフレーム内空間には、鍵１に連結された質量体（ハンマー）６を含む質量体駆動部が収納され、前上板部３ａ１の下面に設けられた質量体支持部７の質量体回動支点により質量体６の中間部分が回動可能に支持される。鍵１の非操作時は、鍵１及び質量体６が図示の位置にあり、質量体６の先端は、基台（床部）５の上面に設けられた下部緩衝部材（クッション）９上に保持されている。鍵１が押鍵操作されたときは、図２（２）で説明したように、鍵１の前方端が降下し、これに応じて質量体６は上昇し、前上板部３ａ１の下面に設けられた上部緩衝部材（クッション）９により質量体６の動きが制止され、その後、鍵１が離鍵されると、鍵１及び質量体６は図示位置に戻り、下部緩衝部材９によって質量体６の動きが制止される。
【００２４】
また、ほぼ垂直方向に延びる１乃至複数のステー９が、フレーム３の前上板部３ａ１の後端部分及び後上板部３ａ２の前縁部分から成るフレーム脚部３ｄ上に取り付けられ、フレーム脚部３ｄの直上近傍に延びたステー９の上端はコントロールパネル２の下面に連結される。つまり、フレーム脚部３ｄに下端９ａが固着されたステー９は、上端が、コントロールパネル２の下面において、フレーム脚部３ｄの直上近傍の位置に固着され、これにより、コントロールパネル２は、ステー９を介してフレーム３の脚部３ｄで支持される。ステー９は、最少個数（＝１）の場合は左右方向の中央位置に設け、複数個数（＞１）の場合には、左右方向に等間隔で左右対称の位置に設けることが好ましい。また、ステー９の前後方向設置位置については、前後方向の種々の位置で外力が加えられた場合を想定してコントロールパネル２への作用点を代表していると考えられる範囲に含まれ、コントロールパネル２を支障なく支えることができる（例えば、コントロールパネル２に載置されたパネル要素を避ける等）箇所に設定される。
【００２５】
ステー９は、この例では、ユーザ側から見た正断面（ステー９を左右方向に平行な垂直面で切った場合の断面）が「コ」字状を呈する合成樹脂又は金属製の板状体で作製され、その上端部はコントロールパネル２の下面に平行な外面を有ている。また、ステー９の下端部９ａは、フレーム３の上板部３ａ１，３ａ２の上面に平行な外面を有しており、左右方向の幅は上端部より長い。ステー９の上端部外面にはクッション材が接着され、ステー９の上端部をフレーム３に取り付ける際は、コントロールパネル２の下面との間にクッション材を介在させた状態で、コントロールパネル２の上から螺子（ネジ）を挿通してコントロールパネル２とステー９の上端部を固着し、これにより、コントロールパネル２とステー９をぴったりと密着させる。
【００２６】
また、ステー９の下端部９ａをフレーム３に取り付けるには、図３（２）右側の側面図（Ｓｉｄｅ  Ｖｉｅｗ）に示すように、螺子などの締結部材Ｂ１でステー下端部９ａをフレーム脚部３ｄ近傍に固着する。なお、ステー９の固着には他の任意の方法を採用することができる。例えば、接着剤を用いてクッション材付きステー９をコントロールパネル２に接着してもよい。また、フレーム３が合成樹脂製の場合、ステー９とフレーム３を一体成形で形成してもよい。
【００２７】
一方、脚部３ｄについては、この例では略「Ｖ」字状乃至「Ｕ」字状の側断面（脚部３ｄを前後方向に平行な垂直面で切った場合の断面）を有する。脚部３ｄの底板（接地部ともいう）３ｅは平らであって、底板３ｅが基台５に固着されることにより、フレーム３を基台５上に支持する支持部材（ベース部）として機能する。鍵と共動して回動動作する質量体６の先端と鍵回動支点４ａとの間の前後方向の領域は、中間領域と呼ばれる。この鍵盤装置では、上述のように、この中間領域にフレーム３の脚部３ｄ及び接地部３ｅが設けられ、接地部３ｅの直上近傍にステー９及びコントロールパネル２のステー固着部（ステーを受ける部位）が設けられている。
【００２８】
従って、ステー３の受ける力の作用線Ｌａと脚部底板（ベース部）３ｅとの間の距離（腕長）Ｒａが小さくなり、ステー３・ベース部３ｅ間におけるベース部３ｅ回りのモーメントの大きさが小さくなるので、ステー９によりコントロールパネル２を支持する機能を向上することができる。なお、図示の例では、コントロールパネル２の浮いた部分を支障なく効果的に支える箇所にステー３の上端部を固着し、フレーム脚部３ｄの設置箇所は質量体駆動部との間に余裕を持たせているので、距離（腕長）Ｒａは完全に零（０）ではないが、事情が許す限りＲａ＝０とすることが好ましい。つまり、ステー９及びフレーム脚部３ｄは、できるだけ、コントロールパネル２のステー固着箇所、ステー９及びフレーム脚部３ｄの中心が上から下に向けて略一直線状になるように設けることが好ましい。
【００２９】
図３（２）により、脚部３ｄ及びステー９の設置態様の一例を説明する。この例では、脚部３ｄを基台５に取り付けるのに、螺子Ｂ１により脚部３ｄの底板３ｅを基台５に締結する方法を採用する。この場合、同図左側の上面図に示すように、脚部底板３ｅ及び基台５に対して、各鍵１の後方部１ａ間に生じる複数の隙間を臨む複数の位置に締結孔（螺子装着部）を設けておき、脚部底板３ｅ及び基台５の締結孔に対して、脚部締結用螺子Ｂ１を上から挿通して脚部底板３ｅを基台５に締結する。
【００３０】
このように、脚部締結部材Ｂ１を鍵と鍵の隙間に位置させることにより、各鍵１を設けた状態で鍵間の隙間から脚部締結部材Ｂ１と工具を挿入することができるので、鍵盤装置を実装する際の作業性を向上することができる。
【００３１】
また、ステー９の設置についても、同様に、鍵間の隙間を利用することができる。つまり、まず、フレーム３の上板部３ａ１，３ａ２に対して、鍵間の隙間に対応する脚部３ｄ近傍の位置に締結孔（螺子装着部）を設けておく。次に、ステー９の本体である板状のステー中間部がこの隙間とは別の隙間を貫通して鍵１の上方に突出し、且つ、ステー９の下端部９ａに設けた締結孔（螺子装着部）がフレーム３の締結孔に一致するように、ステー９をフレーム３上に配置する。そして、ステー下端部９ａ及びフレーム上板部３ａ１，３ａ２の締結孔に対して、ステー締結用螺子Ｂ２を上から挿通しステー下端部９ａをフレーム脚部３ｄ近傍に締結する。
【００３２】
このように、ステー９の設置スペース（空間）が鍵と鍵の隙間に限られているにも拘わらず、或る鍵間の隙間では、ステー締結部材Ｂ２と工具を挿入して実装時の作業性を向上すると共に、別の鍵間の隙間では、ステー９の本体を貫通配置させてコントロールパネル２を効果的に支持することができる。つまり、鍵間の隙間という限られたスペースにおいて、ステー９によるコントロールパネル２の支持とフレーム３へのステー９の取付けという、１つの隙間には詰め切れない複数の機能が、脚部締結部材Ｂ１のある隙間とステーが貫く隙間という別々の隙間に分散することによって実現される。
【００３３】
このように、この発明の一実施例による電子鍵盤楽器では、基台５上に設けられたフレーム３に回動可能に複数の鍵１が取り付けられ、鍵１の後方部１ａは上面部２で覆われる。上面部２は、例えば、コントロールパネルで構成され、鍵１の後方部１ａの鍵間に生じる隙間を通る１乃至複数のステー９によって、フレーム３上に支持される。ステー９を支持するフレーム３の位置には脚部３ｄが形成され、脚部３ｄは基台５に連結される。フレーム３の前縁３ｂ・脚部３ｄ間には、各鍵１に連動する質量体６が収納される。また、ステー９の下端部９ａをフレーム３に連結するステー締結部Ｂ２は、ステー９本体が通る隙間とは別の鍵間の隙間に位置し、フレーム脚部３ｄの底板３ｅを基台５に連結する脚部締結部Ｂ１も、鍵間の隙間に位置する。
【００３４】
（２）第２実施形態
第２実施形態による鍵盤装置は、図４に示すように、鍵盤まわり（１，４〜８）の構造、動作及び機能並びにコントロールパネル２及びステー９の形態や両者の結合態様については、図３で説明した第１実施形態による鍵盤装置とほぼ同様であるが、フレーム３の脚部に関係する構成が相違する。
【００３５】
鍵盤１の下部に設けられたフレーム３は、図４（１）に示す要部の側断面のように、上板部（上面板）３ａ、前方支持部（前方支持板）３ｂ及び前方ベース部３ｃから成る。上板部３ａの中間領域には、基台５との間で垂直にフレーム３を支持するフレーム支持体（脚部）３Ｓが設けられ、フレーム３は、前方ベース部３ｃ及びフレーム支持体３Ｓにより基台５上に固定される。
【００３６】
フレーム支持体３Ｓは、ステー９と同様に、ユーザ側から見た正断面が「コ」字状を呈する合成樹脂又は金属製の板状体で作製され、その上端部３Ｓａはフレーム上板部３ａの下面に平行な外面を有し、その下端部（ベース部又はフレーム接地部ともいう）３Ｓｂは基台５の上面に平行な外面を有している。フレーム支持体３Ｓの下端部３Ｓｂは、図４（２）右側の側面図（Ｓｉｄｅ  Ｖｉｅｗ）に示すように、螺子などの脚部締結部材Ｂ１で基台５に固着される。また、フレーム支持体３Ｓの上端部３Ｓａは、螺子などのステー締結部材Ｂ１により、ステー９の下端部９ａと共にフレーム３に固着することができる。
【００３７】
フレーム３の上板部３ａ上には、フレーム支持体３Ｓの取付け位置にステー９の下端部９ａが取り付けられる。つまり、第１実施形態と同様に、フレーム接地部３Ｓｂの直上近傍にステー９及びフレーム３のステー固着部（ステーを受ける部位）が設けられ、ステー固着部から上方に延びるステー９の上端がコントロールパネル２の下面に連結される。
【００３８】
従って、第２実施形態でも、ステー３の受ける力の作用線Ｌａとフレーム支持体３Ｓのベース部３Ｓｂとの間の距離（腕長）Ｒａが小さくなり、ステー３・ベース部３Ｓｂ間におけるベース部３Ｓｂ回りのモーメントの大きさが小さくなるので、ステー９によりコントロールパネル２を支持する機能を向上することができる。但し、この例では、第１実施形態に比べると、フレーム支持体３Ｓの取付け箇所が設置上の都合で後方に変位し、ステー９の中間支持部が前傾しているので、距離（腕長）Ｒａは若干長くなっている。
【００３９】
図４（２）により、さらに、ステー９の設置態様の一例を説明する。この例でも、第１実施形態と同様に、鍵間の隙間を利用してステー９をフレーム３上に固定することができる。フレーム３の上板部３ａ及びフレーム支持体３Ｓの上端部３Ｓａには、鍵間の隙間に対応する位置に締結孔（螺子装着部）が形成されており、ステー９の板状中間部がこの隙間とは別の隙間を貫通して鍵１の上方に突出した状態で、ステー９の下端部９ａに設けた締結孔（螺子装着部）を所定のフレーム３及びフレーム支持体３Ｓの締結孔に一致するように、ステー９をフレーム３上に配置する。そして、ステー下端部９ａ、フレーム３及びフレーム支持体３Ｓの締結孔に対して、ステー締結用螺子Ｂ２を上から挿通してステー下端部９ａ、フレーム上板部３ａ及びフレーム支持体上端部３Ｓａ間を締結する。
【００４０】
なお、この例では、フレーム上板部３ａ及びフレーム支持体上端部３Ｓａの締結孔（螺子装着部）は、ステー９の左右方向配置間隔よりも短い間隔で形成されており、ステー９が配置されない箇所では、フレーム支持体上端部締結用螺子Ｂ３をフレーム上板部３ａの上から挿通してフレーム上板部３ａ及びフレーム支持体上端部３Ｓａ間を締結する。
【００４１】
このように、第１実施形態と同様に、脚部締結部材Ｂ１を鍵と鍵の隙間に位置させることで、鍵盤装置の実装作業時は、各鍵１を設けた状態で鍵間の隙間から脚部締結部材Ｂ１と工具を挿入して効率よくステー９をフレーム３上に設置することができ、鍵盤装置の使用時には、別の鍵間の隙間を貫通するステー９により上面部２をしっかりと支持することができる。つまり、鍵間の隙間という限られた空間にも拘わらず、ステー９のフレーム３への取付け作業の効率を向上すると共にステー９でコントロールパネル２を効果的に支持する鍵盤装置を提供することができる。
【００４２】
〔種々の実施態様〕
以上、図面を参照しつつ、この発明の好適な実施の形態について詳述したが、これは単なる一例であって、この発明の精神を逸脱しない範囲で種々の変更が可能である。例えば、鍵盤後方を覆う上面部については、実施例ではコントロールパネルで構成するものについて説明したが、これに限らない。例えば、カバーパネルでもよい。
【００４３】
ステーの設置については、実施例では、ステーが出ている隙間（鍵間）とは別の隙間にステー締結部材（Ｂ２）を設けるようにしたが、ステーが出ている隙間と同じ隙間にステー締結部材（Ｂ２）を設けるようにしてもよい。
【００４４】
上面部（２）、ステー（９）、フレーム（３）、フレーム支持体（３Ｓ）、基台（５）などの鍵盤装置筐体の構成要素間の連結については、各筐体構成要素をそれぞれ別体で組み付けるものであってもよいが、２以上の筐体構成要素を一体に形成して組み合わせるものであってもよい。この場合、これらの組付けには、螺子や接着剤などの外、任意の固着方法を採用することができる。また、互いに連結し合う筐体構成要素が合成樹脂で構成される場合、可能な範囲で、これらの要素を一体成形で作製することが好ましい。
【００４５】
ステー（９）やフレーム脚部（３ｄ）、フレーム支持体（３Ｓ）については、任意の形状を採用することができる。例えば、ステーやフレーム支持体の形状は、正断面が「工」字状でもよい。また、ステー及びフレーム支持体の個数を同数としたが、フレーム支持体の個数をステーより多くしてもよい。フレーム支持体については、側断面が「コ」字状又は「工」字状の１つの部材で構成してもよい。
【００４６】
フレーム（３）の形状については、上板部（３ａ）の後端近傍に、例えば、図３，４の前方支持部３ｂ及び前方ベース部３ｃと同様に構成された後方支持部材を設けてもよい。また、フレーム脚部（３ｄ）については、実施例では側断面が「Ｖ」字状のものを用いたが、任意の形状を採用することができる。例えば、側断面及び正断面共に「Ｖ」字状乃至「Ｕ」字状のもの即ち角筒状のコップのような形状（但し、左右方向の口径＞前後方向の口径）とし、図３のように上板部（３ａ）を前後に分けず、１つの上板部（３ａ）に長方形の穴を形成したものでもよい。
【図面の簡単な説明】
【００４７】
【図１】この発明の一実施例による電子鍵盤楽器の外観を示す。
【図２】ステー設置上の問題点を説明するための図である。
【図３】この発明の第１実施形態による鍵盤装置の要部を示す。
【図４】この発明の第２実施形態による鍵盤装置の要部を示す。
【符号の説明】
【００４８】
１，１ａ  鍵盤（白鍵と黒鍵）及び各鍵の後方部、
２  コントロールパネル（上面部）、
３  フレーム〔３ａ：上板部、３ｂ：前方支持部（前縁）、３ｄ：脚部、３ｅ：底板（ベース部又は接地部）〕、
３Ｓ  フレーム支持体（脚部）〔３Ｓｂ：下端部（ベース部又はフレーム接地部）〕、
４，４ａ  鍵回動支持部及び支点、
５  基台（ベース板、床部）、
６  質量体（ハンマー）、
９  ステー（ステー機構、ステー部品、ステー部）、
Ｂ１，Ｂ２  脚部締結部材及びステー締結部材。
【図１】
2009037168.tif 000003
【図２】
2009037168.tif 000004
【図３】
2009037168.tif 000005
【図４】
2009037168.tif 000006